【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  複数の画像を分類する画像処理装置であって、
画像を入力する入力手段と、
処理対象画像を分類するために比較する比較対象画像を、前記処理対象画像の入力時刻に基づいて決定する決定手段と、
前記処理対象画像を分類するための分類前提条件を指定する指定手段と、
前記指定手段で指定された分類前提条件に基づいて、前記処理対象画像と前記比較対象画像の類似度を判別するための閾値を設定する設定手段と、
前記閾値に基づいて、前記処理対象画像と前記比較対象画像との類似度を判別する判別手段と、
前記判別手段の判別結果に基づいて、前記処理対象画像が所属するグループを示すグループ属性を該処理対象画像に付与する付与手段と
を備えることを特徴とする画像処理装置。
【請求項２】  前記判別手段は、前記処理対象画像と前記比較対象画像との類似度が前記閾値未満である場合、前記処理対象画像の入力条件データと前記比較対象画像の入力条件データとの誤差判定を行う誤差判定手段と、
前記誤差判定手段の誤差判定結果に基づいて、前記処理対象画像を加工する加工手段と
を備えることを特徴とする請求項１に記載の画像処理装置。
【請求項３】  処理対象画像と比較対象画像とを入力する入力手段と、
前記処理対象画像の入力条件データと前記比較対象画像の入力条件データとの誤差判定を行う誤差判定手段と、
前記誤差判定手段の誤差判定結果に基づいて、前記処理対象画像を加工する加工手段と、
前記加工手段で加工された前記処理対象画像と前記比較対象画像との類似度を判別する判別手段と
を備えることを特徴とする画像処理装置。
【請求項４】  前記設定手段は、前記分類前提条件に基づいて、前記閾値を設定する
ことを特徴とする請求項１に記載の画像処理装置。
【請求項５】  前記入力条件データは、画像のアングル値であり、
前記加工手段は、前記処理対象画像のアングル値と前記比較対象画像のアングル値との差分に応じて、該処理対象画像を加工する
ことを特徴とする請求項２または３に記載の画像処理装置。
【請求項６】  前記入力条件データは、画像のズーム値であり、
前記加工手段は、前記処理対象画像のズーム値と前記比較対象画像のズーム値との差分に応じて、該処理対象画像を加工する
ことを特徴とする請求項２または３に記載の画像処理装置。
【請求項７】  前記入力条件データは、画像のフラッシュ点灯の有無を示す値であり、
前記加工手段は、前記処理対象画像のフラッシュ点灯の有無を示す値と前記比較対象画像のフラッシュ点灯の有無を示す値との差分に応じて、該処理対象画像を加工する
ことを特徴とする請求項２または３に記載の画像処理装置。
【請求項８】  複数の画像を分類する画像処理方法であって、
画像を入力する入力工程と、
処理対象画像を分類するために比較する比較対象画像を、前記処理対象画像の入力時刻に基づいて決定する決定工程と、
前記処理対象画像を分類するための分類前提条件を指定する指定工程と、
前記指定工程で指定された分類前提条件に基づいて、前記処理対象画像と前記比較対象画像の類似度を判別するための閾値を設定する設定工程と、
前記閾値に基づいて、前記処理対象画像と前記比較対象画像との類似度を判別する判別工程と、
前記判別工程の判別結果に基づいて、前記処理対象画像が所属するグループを示すグループ属性を該処理対象画像に付与する付与工程と
を備えることを特徴とする画像処理方法。
【請求項９】  処理対象画像と比較対象画像とを入力する入力工程と、
前記処理対象画像の入力条件データと前記比較対象画像の入力条件データとの誤差判定を行う誤差判定工程と、
前記誤差判定工程の誤差判定結果に基づいて、前記処理対象画像を加工する加工工程と、
前記加工工程で加工された前記処理対象画像と前記比較対象画像との類似度を判別する判別工程と
を備えることを特徴とする画像処理方法。
【請求項１０】  複数の画像を分類する画像処理をコンピュータに実行させるためのプログラムであって、
画像を入力する入力工程と、
処理対象画像を分類するために比較する比較対象画像を、前記処理対象画像の入力時刻に基づいて決定する決定工程と、
前記処理対象画像を分類するための分類前提条件を指定する指定工程と、
前記指定工程で指定された分類前提条件に基づいて、前記処理対象画像と前記比較対象画像の類似度を判別するための閾値を設定する設定工程と、
前記閾値に基づいて、前記処理対象画像と前記比較対象画像との類似度を判別する判別工程と、
前記判別工程の判別結果に基づいて、前記処理対象画像が所属するグループを示すグループ属性を該処理対象画像に付与する付与工程と
をコンピュータに実行させることを特徴とするプログラム。
【請求項１１】
請求項１０に記載のプログラムを記録したコンピュータ読取可能な記録媒体。
【請求項１２】  処理対象画像と比較対象画像とを入力する入力工程と、
前記処理対象画像の入力条件データと前記比較対象画像の入力条件データとの誤差判定を行う誤差判定工程と、
前記誤差判定工程の誤差判定結果に基づいて、前記処理対象画像を加工する加工工程と、
前記加工工程で加工された前記処理対象画像と前記比較対象画像との類似度を判別する判別工程と
をコンピュータに実行させるためのプログラム。
【請求項１３】
請求項１２に記載のプログラムを記録したコンピュータ読取可能な記録媒体。
【手続補正２】
【補正対象書類名】明細書
【補正対象項目名】０００８
【補正方法】変更
【補正の内容】
【０００８】
また、好ましくは、前記判別手段は、前記処理対象画像と前記比較対象画像との類似度が前記所定値未満である場合、前記処理対象画像の入力条件データと前記比較対象画像の入力条件データとの誤差判定を行う誤差判定手段と
前記誤差判定手段の誤差判定結果に基づいて、前記処理対象画像を加工する加工手段と
を備える。
上記の目的を達成するための本発明による画像処理装置は以下の構成を備える。即ち、
処理対象画像と比較対象画像とを入力する入力手段と、
前記処理対象画像の入力条件データと前記比較対象画像の入力条件データとの誤差判定を行う誤差判定手段と、
前記誤差判定手段の誤差判定結果に基づいて、前記処理対象画像を加工する加工手段と、
前記加工手段で加工された前記処理対象画像と前記比較対象画像との類似度を判別する判別手段と
を備える。
【手続補正３】
【補正対象書類名】明細書
【補正対象項目名】００１１
【補正方法】変更
【補正の内容】
【００１１】
また、好ましくは、前記入力条件データは、画像のズーム値であり、
前記加工手段は、前記処理対象画像のズーム値と前記比較対象画像のズーム値との差分に応じて、該処理対象画像を加工する。
【手続補正４】
【補正対象書類名】明細書
【補正対象項目名】００１２
【補正方法】変更
【補正の内容】
【００１２】
また、好ましくは、前記入力条件データは、画像のフラッシュ点灯の有無を示す値であり、
前記加工手段は、前記処理対象画像のフラッシュ点灯の有無を示す値と前記比較対象画像のフラッシュ点灯の有無を示す値との差分に応じて、該処理対象画像を加工する。
【手続補正５】
【補正対象書類名】明細書
【補正対象項目名】００１３
【補正方法】変更
【補正の内容】
【００１３】
上記の目的を達成するための本発明による画像処理方法は以下の構成を備える。即ち、
複数の画像を分類する画像処理方法であって、
画像を入力する入力工程と、
処理対象画像を分類するために比較する比較対象画像を、前記処理対象画像の入力時刻に基づいて決定する決定工程と、
前記処理対象画像を分類するための分類前提条件を指定する指定工程と、
前記指定工程で指定された分類前提条件に基づいて、前記処理対象画像と前記比較対象画像の類似度を判別するための閾値を設定する設定工程と、
前記閾値に基づいて、前記処理対象画像と前記比較対象画像との類似度を判別する判別工程と、
前記判別工程の判別結果に基づいて、前記処理対象画像が所属するグループを示すグループ属性を該処理対象画像に付与する付与工程と
を備える。
上記の目的を達成するための本発明による画像処理方法は以下の構成を備える。即ち、
処理対象画像と比較対象画像とを入力する入力工程と、
前記処理対象画像の入力条件データと前記比較対象画像の入力条件データとの誤差判定を行う誤差判定工程と、
前記誤差判定工程の誤差判定結果に基づいて、前記処理対象画像を加工する加工工程と、
前記加工工程で加工された前記処理対象画像と前記比較対象画像との類似度を判別する判別工程と
を備える。
【手続補正６】
【補正対象書類名】明細書
【補正対象項目名】００１４
【補正方法】変更
【補正の内容】
【００１４】
上記の目的を達成するための本発明によるプログラムは以下の構成を備える。即ち、
複数の画像を分類する画像処理をコンピュータに実行させるためのプログラムであって、
画像を入力する入力工程と、
処理対象画像を分類するために比較する比較対象画像を、前記処理対象画像の入力時刻に基づいて決定する決定工程と、
前記処理対象画像を分類するための分類前提条件を指定する指定工程と、
前記指定工程で指定された分類前提条件に基づいて、前記処理対象画像と前記比較対象画像の類似度を判別するための閾値を設定する設定工程と、
前記閾値に基づいて、前記処理対象画像と前記比較対象画像との類似度を判別する判別工程と、
前記判別工程の判別結果に基づいて、前記処理対象画像が所属するグループを示すグループ属性を該処理対象画像に付与する付与工程と
をコンピュータに実行させる。
上記の目的を達成するための本発明によるプログラムは以下の構成を備える。即ち、
処理対象画像と比較対象画像とを入力する入力工程と、
前記処理対象画像の入力条件データと前記比較対象画像の入力条件データとの誤差判定を行う誤差判定工程と、
前記誤差判定工程の誤差判定結果に基づいて、前記処理対象画像を加工する加工工程と、
前記加工工程で加工された前記処理対象画像と前記比較対象画像との類似度を判別する判別工程と
をコンピュータに実行させる。